(57)【要約】本発明は、カット・ベント方式の一体型の雌型電気接触子であり、長手方向に、電気導体に結合される後部接合ゾーンと、底部（４）とこの底部（４）に隣接し長手軸に沿って折り戻された側壁（５，６）と少なくとも一つのトップ部材（２２、２３）から構成される保護ハウジングとから構成された電気接触子であって、相補タイプの嵌合雄型接触子に対応して、保護ハウジングの内部前方に設置され、電気接触子の前方に向かう先端部（１０）を具備した少なくとも一つのスプリング接触片（８）を持った接触子部を含み、この接触子部は、トップ部材の後方に接合された小金属帯から構築され、この小金属帯は折り曲げ前はトップ部材の後方に伸長されており、この小金属帯を接触子の底部に垂直に前方に向かって折り曲げる事によって接触子を構成する。本接触子の構造は、原材料を縦、横共に節減でき、更に、良好な接触性と接点の保護を担保する。
2004531044.tif 000002
【特許請求の範囲】
【請求項１】
長手方向に、電気導体に結合される後部接続ゾーンと、底部（４）と前記底部（４）に隣接し長手軸に沿って折り戻された側壁（５，６）と少なくとも一つのトップ部材（２２、２３）から構成される保護ハウジングから構成された電気接触子であって、
相補タイプの嵌合雄型接触子に対応して、前記保護ハウジングの内部前方に設置され、前記電気接触子の前方に向かう端子部（１０）を具備した少なくとも一つのスプリング接触片（８）を持った接触子部を含み、
前記スプリング接触片は、前記トップ部材の後方に接合された小帯部から構築され、前記小帯部は曲げに先立って後方に伸ばされており、曲げの後に前記底部に垂直に前方に向かって伸ばされることを特徴とするカット・ベント方式の一体型の雌型電気接触子。
【請求項２】
前記接触子部を形成する前記小帯部の曲げが捻りを構成することを特徴とする請求項１に記載された雌型電気接触子。
【請求項３】
前記接触子部が、前記トップ部材との接合領域において前記電気接触子の長手方向に垂直である軸に沿った最初の曲げ（４５）と前記トップ部材から離延された最初の面（４６）と第二の面（４８）を構成する第二のバイアス曲げ（４７）と前記嵌合接触子に接触する凸面（３２）に結合されているスプリング面（３１）の後部を画定する第三の曲げ（４９）を持つことを特徴とする請求項１または請求項２に記載の雌型電気接触子。
【請求項４】
前記第二面（４８）が前記トップ部材（２３）によって支えられたエッジを持つことを特徴とする請求項３に記載の雌型電気接触子。
【請求項５】
前記電気接触子が前記接触子部の前記先端部分（１０）をプリテンションするための保持フラップ（２０）を具備し、前記接触子部に対応した前記側壁（５）の前部から折り返され、その部材上の接触ゾーンの前部に於いて、フラップに対する支持面を構成することを特徴とする請求項１〜４のいずれかの項に記載の雌型電気接触子。
【請求項６】
前記電気接触子が接触子キャリアボックス内に保持される手段（２５、２６）を具備することを特徴とする請求項１〜５のいずれかの項に記載された雌型電気接触子。
【請求項７】
前記手段が前記電気接触子の前記側壁に設けられた少なくとも一つの開口部（２５）を含むことを特徴とする請求項６に記載された雌型電気接触子。
【請求項８】
前記手段が前記保護ハウジングの前記側壁の一つに少なくとも一つのタブ（２６）を含むことを特徴とする請求項６に記載された雌型電気接触子。
【請求項９】
前記電気接触子は少なくとも一対の前記接触子部（８、９）と、一対の前記トップ部材（２２、２３）を具備し、その一対の前記接触子部の各接触子は一対の前記トップ部材の一つに結合されていることを特徴とする請求項１〜８のいずれかの項に記載の雌型電気接触子。
【請求項１０】
前記フラップはアンカーラグ（６０、６１）を有し、前記底部と前記トップ部材はこれらのラグを受け入れるためのホール（６２、６３）を具備することを特徴とする請求項５に記載の雌型電気接触子。
【請求項１１】
前記後部接続ゾーンと前記保護ハウジング間の連結ゾーンに強化部材を有し、前記強化部材は前記側壁（５、６）のトップ部分と電線のクリンプタブ（５０、５１）に隣接した前記底部の延長部を結合するアーチ部（７０、７１）によって成形されることを特徴とする請求項１〜１０のいずれかの項に記載の雌型電気接触子。
【発明の詳細な説明】
【技術分野】
【０００１】
本発明は、雌型電気接触子、特に電気導体に接続するエリアと、嵌合する雄型接触子に対応する接触端子から構成されるタイプの電気接触子に関する。
【０００２】
多くの雌型電気接触子が知られているが、特に、嵌合する接触子に対応する接触端子が保護構造の内部にあるスプリング接触片から構成され、形成された保護ハウジングがその接触片の周りを完全に、或いはその前部又は後部を部分的に囲んでいるタイプの接触子に関する。
【背景技術】
【０００３】
従来技術による保護ハウジングを持った一体型（単体）の既知の雌型電気接触子は、例えばヨーロッパ特許ＥＰ０３１０４８７の公報に記載されている。この一体型の接触子は単一の金属切片からなり、接触子の主軸に平行な軸に沿って１８０°の折り曲げによってハウジングのトップ部材から折り返された二つの接触片から構成される。接触片はこのように、ハウジングのトップ部材と側壁領域におけるハウジングの内部状況に応じたトップ部材に結合された部材から構成される。
【０００４】
この接触子に於いては、スプリング接触片の張力保持機能と嵌合雄型接触子に対するガイド機能がハウジングの側壁の前部からのフラップの折り曲げによってなされる。
この接触子は、非常に良好な接触子の保護機能とハウジングのかなりの頑丈さを保証するものであるが、この接触子の生産のためには使用する金属帯にかなりの幅を要する。
【０００５】
特許ＥＰ０３１０４８７に次ぐ実施例は、資料フランス特許第２７５１７９３号にも記載されている。この実施形態は単一切片から、長手方向に構築されており、接触子の前方に、底部の前方を延長した構築物をもち、この構築物を接触子の長手方向の軸に対して垂直な軸に沿って折り返すことによって前壁を造る。この前壁は嵌合接触子挿入の為の開口部を持ち、この開口部は接触子にプリテンションを与える為のフラップを備えたフレーム構造となっている。又、キャリアボックスから突き出ているロッキングタブのサポートゾーンとしての開口部を具備した保護ハウジングを構成する延長部をもっている。
【特許文献１】
ヨーロッパ特許第０３１０４８７号公報
【特許文献２】
フランス特許第２７５１７９３号公報
【０００６】
このような実施形態おいては、キャリアボックスからのロッキングタブのサポートゾーンを具備したハウジング壁の部材がターミナルアームを経由して接触子の本体部に接続されており、フレームのトップ部分において折り曲げが行われるので、これらのアームの損傷の危険を生じ、又、これらのアーム領域にかなりの制限を生じさせる。特に自動車応用関連に使用される場合には、その接触面が１−４平方ｍｍあるのが普通である（ので開口部を大きくせざるをえない）からである。
【０００７】
更に、延長構造物を前方から後方へ折り曲げて接触子の完全保護を行う本方式の場合には、使用する金属帯の幅が増加し、又、切断や折り曲げツールの操作時の煩雑さも招く。この事は、接触子の組み立てスピードを制限し、生産される接触子の均一性や品質に欠陥を生じさせる恐れがある。
【発明の開示】
【０００８】
接触子の頑丈さを保持しながら、接触子の良好な保護を全面的に確保するための方法として、本発明は、長手方向に電気導体に接続する後部接続ゾーンと、底部と底部に隣接して長手方向軸に沿って折り曲げられた二つの側壁、及び少なくとも一つのトップ部材からなるハウジングから構成されたカット・ベント方式の、一体型雌型電気接触子を提案する。
【０００９】
この電気接触子は、ハウジング内の前方に位置し、嵌合する雄型接触子に対応する接触ターミナルを持ち、この接触ターミナルは接触子の前方に向けられた先端部を具備した少なくとも一つのスプリング接触子によって構成されている。このスプリング接触子はトップ部材の後方に結合されている小さな金属帯から構築され、この小金属帯は曲げの実行前は後方に伸びており、曲げの後は、底部に垂直に前方に伸びることになる。
【００１０】
この接触子を形成する小金属帯の曲げは捻りを生じさせるのが好ましい。
【００１１】
特に、この接触子は、トップ部材との結合部において、接触子の長手方向軸に垂直な軸に沿っての第一の曲げと、この曲げによって生ずるトップ部材から離延する第一面と、第二の面を成形する第二のバイアス曲げ、及び、本接触子に嵌合に対する相補雄型接触子に対応する凸状接触面を具備するスプリング面の後部を画定する第三の曲げから構成される。
【００１２】
第二面はトップ部材によって支えられるエッジを持つという利点がある。
【００１３】
本接触子は、接触子の終端部に張りを与えるための保持フラップを設ける事ができる。このフラップはその接触子に対応した側壁の前方から折り返され、その接触子は接触ゾーンの前方の部材上に、フラップによってもたらされたサポート面を持つ。
【００１４】
更に特殊用例として、本接触子は接触子をキャリアボックスに保持するための手段を備えることができる。この手段は、側壁に少なくとも１つの開口部を設けるか、ハウジングの側面の１つに少なくとも１つのタブを設けることである。
【００１５】
この実施形態の特に有益な点は、本発明による接触子は、少なくとも一対の接触子と一対のトップ部材から構成され、一対の接触子の各接触子は一対のトップ部材の各々に結合されているという点である。
【００１６】
他の特殊な実施形態としては、フラップはアンカー用の突起部を具備することが出来ることである。底部、及びトップ部はこれらの突起部を受け入れるホールを持つ。
【００１７】
本発明による接触子は、後部接続ゾーンとハウジング間の結合領域に強化部材を具備することが出来る。強化部材は側壁のトップ部分と電線の締付けタブに隣接する底部の延長部を結合するアーチによって形成される。
【００１８】
本発明は、図を参照しながら本発明に則った接触子の非限定的な実施形態を追いながら記述を読むことによってよりよく理解出来る。これらを以下に示す。
【００１９】
第一の実施形態として図２に示す雌型電気接触子１は、カット・ベント方式の一体型のものであり、長手方向に電気導体を連結する後部接続部２を持つ。この後部接続部には、絶縁を剥いた端子や半田盛りされたタブ等、他の連結方式も考えられるが、ここでは、導体の被覆を剥いた端子をクリンプタブ５０、５１で、導体の被覆部分をクリンプタブ５２、５３で圧着するタイプのものを示す。
【００２０】
底部４に連なるリンクエリアを通してこの後部接続部に連結されている、図２又は図４に示す接触子は、底部４、二つの側壁５、６、及び、接触端子部から構成される保護ハウジング３を持つ。この接触端子部は、嵌合する雄型接触子に対しハウジングの内部、前方に位置する。この接触端子部は、図６の実施形態によれば、（例えば）二つのスプリング部８、９、から構成され、各先端は先端部１０、１１を具備し、接触子の前方に向けられている。
【００２１】
本接触子は図１及び図３に示すように一枚の金属切片から構築され、側壁５、６はこの接触子を横断する軸に沿って、底部に隣接する部分を延長した延長部である。ハウジングの側面を構築するためには、この延長部を接触子の長手方向に平行な軸に沿って折り曲げる。ハウジングを完成するためには、トップ部を折り曲げこれらを側壁に合わせる。
【００２２】
尚、図１から３によれば、スプリング接触片は、全てトップ部材の後方に接続されている小帯部から構築され、折り曲げの前には底部に平行に接触子の後方に向かって伸びている。この方式は接触子の展開部材面積とカッティング中に発生する不要部材を最小化し、小帯上の接触子ポイント間のズレを減少させながら、接触子の接触性を高めることを可能とする。
【００２３】
本接触子を構築するためには、所要のカッティングの後、接触子の後方に向けられている接触子を後方から前方に折り曲げることによってなされる。接触子がトップ部材の延長された部材であるという構造は、その折り返しを可能とし、接触子の捻りを生じさせる次のようなシーケンスを生む。図５、６に示された曲げのシーケンスの実施形態は、必要な操作を順に示す。
【００２４】
図５の右側は、曲げ４９による接触子のスプリング面３１、凸面３２、及び接触子の先端部１１を成形する最初の曲げ動作を示す。図５の左側は、接触子の捩じれを生じさせる面４６と面４８間のバイアス折り曲げの動作を示す。図６の右側は、接触子の長手方向に垂直な軸４５における前方から後方への曲げ動作を示す。図６の左側は、底部と側壁の折り曲げ後の接触子の半格納状態を示す。
【００２５】
後方から前方へ向かっての接触子部の曲げの完成は接触子の長手方向に垂直な軸に沿っての最初の曲げ（４５）によってなされ、この曲げは接触子の裏面を後方から前方に回転させる。
【００２６】
この曲げは接触子部の最初の面の対角線に沿って実行された第二のバイアス曲げ（４７）を含む。この曲げは、通常三角形状の面（４８）を作り、トップ部に垂直な平面となる。この面はフリーエッジであり、トップ部によって支えられる。この接触子部の曲げは、最終的には、トップ部に垂直な軸に沿った三角面の一端に於いて行われた第三の曲げ（４９）を含む。
【００２７】
接触子の接触子部の可動部分はこのように成形され、この接触子部は、従来通りの方式で、第一スプリング面、嵌合する接触ピン又は舌に対応する凸面接触部、及び先端自由域より構成される。
【００２８】
接触子部の捩じりを生起するこの曲げの手順は、ハウジングのトップ部の曲げに先立ち後方に延びている切片から始まり、トップ部材に垂直な平面上に接触子部を構築する事を可能とする。そして接触子部は、ハウジングの曲げの後、即ち、側壁に対して９０°のトップ部の曲げ、そして底部に対して９０°の側壁の曲げの後、ハウジングの側壁の長手方向に沿って配置される。
【００２９】
この捩じりによるトップ部材から接触子部への成形工程によれば、ハウジングの後部、接触子部に隣接する側壁のリアエッジ領域で突出部を生ずることを避けることができるので、この側壁は接触子を受け入れる絶縁箱の受入ソケット内のロッキング部材のための支持面として役立つ事が可能である。
【００３０】
バイアス曲げを持った接触子部の面は接触子部の強化ゾーンを構成するという利点を持ち、これによってハウジングの後部を強化する。
【００３１】
面４８が拡大されると、接触子部の中間面３１は側面から離れた位置に伸びる事になる。この面は接触子部のスプリング部分を構成しているので、嵌合する接触ピンや凸部に対する接触圧に影響を与える。嵌合接触子と接触ゾーンは、既述のように、凸面３２によって実現される。
【００３２】
接触子部は、側面の前方に結合されているフラップ２０、２１によって先端面１１が固定され、前方で終端される。
【００３３】
このフラップは、嵌合する接触ピンに対して接触子部の接触ポイントを正しく位置決めするという方法で接触子部の固定と張りをもたらす。
【００３４】
各々がフラップによってプリテンションされている二つの対面する結合接触の場合、凸面間の動作を画定する事にもなる。すなわちこれは接触子部に受け入れるピン又はプロングの最低厚みを定めることになる。更に、フラップは接触子部を保護し、ハウジングへのピンの挿入を容易にする為のガイドともなる。
【００３５】
ハウジングの前方を丈夫にし、フラップを正確な位置に維持するため、フラップは突起６０、６１を持つことが出来る。これらの突起は、ハウジングの底部及びトップ部に設けられたホール６２、６３に受け入れられる為である。
【００３６】
図１及び２は、二つの対向する接触子部と極性のないハウジング部を持った接触子を表し、後者のハウジング部は対称的な半トップ部２２、２３から構成される。図３及び４に表されているものは、極性付きの接触子であり、そのトップ部の主要部分は切片２４を拡張した単一の側壁６から構成されている。
この実施形態に於いては、既存の方法であるが、接触子に極性を持たせるため、及び絶縁ボックスである収納ソケット内でロッキングタブ２６を保護するためのフランジ２７を提供することが出来る。このフランジはこのように側壁５の延長部によって作られる。
【００３７】
ハウジングを閉鎖する際には、側壁５とトップ部２４を半田付けや業界既知のピンデバイスで固く結合することも可能である。
【００３８】
絶縁収納箱に接触子を保持する方法は、ハウジングの外面の少なくとも一個所に設けられた開口部２５、又は前記のように、ハウジングの外面の少なくとも一個所に設けられたタブ２６によってなされる。
【００３９】
１つ或いは複数の開口部を接触子部の背面のハウジングの側壁に設置することが出来る。又、１つ或いは複数のタブもハウジングの一面或いは複数の面のどれかに設置することも出来る。
【００４０】
図１及び２に示すように、本発明による接触子はハウジングの後方部に強化システムを所持することが出来る。この強化システムは側壁のトップ部と、底部を電線接続部に連結しているゾーンとを跨いだアーチを造る事によって構築される。これらのアーチは、またロッキングピンに対する受け側の開口部として使用することも出来る。これらのアーチ部は、側壁や電線接続部を成形する為の接触子の通常の曲げ動作時に成形される。
【００４１】
添付図によれば、この接触子はトップ部から対称的に構築された一対のスプリング接触子から構成される。
【００４２】
本発明の視点からは、接触子がその接触部において、接触子部のスプリング部分と嵌合ピンに対する接点がそれぞれダブル構造になっていると考えられ（３１、３２、１１）、また、接触子の接触子が捻じり法則によって構成されると考え得る。接触子部は、それぞれ異なって製造された嵌合ピンに適応するように、又、対向する側壁サイドで使用される接触子のカットの状態に応じて調整される。
【００４３】
この発明は図や応用例に記載されたれサンプルに限定されたものでなく、特に、接触子の後方に電気的結合部をもった電気接触子に限定されるものではない。
【図面の簡単な説明】
【００４４】
【図１】本発明の第１の実施形態による接触子を具体化するための、カット後折り曲げ前の金属性の帯から成る部材図。
【図２】本発明の第１の実施形態による接触子を前面から見た外観図。
【図３】本発明の第２の実施形態による接触子を具体化するための、カット後折り曲げ前の金属性の帯から成る部材図。
【図４】本発明の第２の実施形態による接触子を前面から見た外観図。
【図５】本発明の第１の実施形態による第一段階の折り曲げ状態を示す接触子の面。
【図６】本発明の第１の実施形態による第二段階の折り曲げ状態を示す接触子の面。
【図７】本発明の第１の実施形態による部分的に折り曲げを行っていない状態を示す接触子の外観図。
【国際公開パンフレット】
2004531044.tif 000003
2004531044.tif 000004
2004531044.tif 000005
2004531044.tif 000006
2004531044.tif 000007
2004531044.tif 000008
2004531044.tif 000009
2004531044.tif 000010
2004531044.tif 000011
2004531044.tif 000012
2004531044.tif 000013
2004531044.tif 000014
2004531044.tif 000015
2004531044.tif 000016
2004531044.tif 000017
2004531044.tif 000018
2004531044.tif 000019
2004531044.tif 000020
2004531044.tif 000021
2004531044.tif 000022
【国際調査報告】
2004531044.tif 000023
2004531044.tif 000024
2004531044.tif 000025
2004531044.tif 000026
2004531044.tif 000027
2004531044.tif 000028